(57)【要約】【課題】装置を大きくすることなく、コストを大きく上げることなく、クロストークやフリッカを解消した液晶表示装置を提供する。【解決手段】第１絶縁基板上において、行列状に配置された複数の走査電極８および複数の信号電極９と走査電極８と信号電極９との交点近傍に配置された複数の画素電極１０と、各走査電極８と各信号電極９と各画素電極１０に接続された各スイッチング素子１１と、第１絶縁基板上に配置された複数の第１共通電極Ｃ１〜Ｃ２２０と、各画素電極１０と各第１共通電極Ｃ１〜Ｃ２２０との間に接続された各補助コンデンサ１２と、各第１共通電極Ｃ１〜Ｃ２２０に接続され、共通電圧が供給され、閉回路とされた第２共通電極１３とを備えた。【選択図】図１
2007094024.tif 000002
【特許請求の範囲】
【請求項１】
第１絶縁基板と、第２絶縁基板と、両基板間に設けられた液晶とを備え、前記第１絶縁基板上において、行列状に配置された複数の走査電極および複数の信号電極と、前記走査電極と前記信号電極との交点近傍に配置された複数の画素電極と、各走査電極と各信号電極と各画素電極に接続された各スイッチング素子と、前記第１絶縁基板上に配置された複数の第１共通電極と、各画素電極と各第１共通電極との間に接続された各補助コンデンサと、各第１共通電極に接続され、共通電圧が供給され、閉回路とされた第２共通電極とを備えた事を特徴とする液晶表示装置。
【請求項２】
前記第１絶縁基板上に、前記第２共通電極と離れて配置され、各第１共通電極に接続され前記共通電圧が供給され、閉回路とされた第３共通電極を備えた事を特徴とする請求項１の液晶表示装置。
【請求項３】
前記第２共通電極と前記第３共通電極とを電気的接続させた事を特徴とする請求項２の液晶表示装置。
【請求項４】
前記第２絶縁基板の背面に共通電極が配置され、前記第１共通電極及び／又は前記第２共通電極及び／又は前記第３共通電極が、前記共通電極に電気的接続された事を特徴とする請求項２または請求項３の液晶表示装置。
【請求項５】
前記第２共通電極および前記第３共通電極の各幅が、１００μｍないし５００μｍである事を特徴とする請求項２の液晶表示装置。
【発明の詳細な説明】
【技術分野】
【０００１】
本発明は液晶表示装置に関する。
【背景技術】
【０００２】
従来、この種の装置は例えば特許文献１（図４参照）に示されている。図４において、複数の走査電極１および複数の信号電極２と、その交点近傍に位置する複数の画素電極１０が配置されている。各走査電極１と各信号電極２と各画素電極１０に接続されたＴＦＴ５が設けられている。そして、複数の共通電極６と、各画素電極６との間に接続された各補助コンデンサ１３が設けられている。
【特許文献１】特開２００３−１６２２６５号公報
【発明の開示】
【発明が解決しようとする課題】
【０００３】
上記装置では、クロストークやフリッカが生じ易い欠点がある。本発明者がその原因を究明したところ、各共通電極６に接続された各補助コンデンサ１３に印加される電圧が一定でなく、ばらついているからである事がわかった。その結果、各走査電極１に印加されるゲートパルスが立ち上がった後に、各画素電極に印加される電圧の特性がばらつくので、クロストークやフリッカが起こり易い事が分かった。
【０００４】
そもそもの原因は、高精細とするためには、各画素３０同士の隙間を大きくできないため、共通電極６の幅を１０〜２０μｍと、狭くせざるを得ない。そのため、共通電極６の先端近傍での電圧降下が大きいためである。
【０００５】
そこで、本発明はこの様な従来の欠点を考慮して、装置を大きくせず、コストを大きく上げることなく、クロストークやフリッカを解消した液晶表示装置を提供する。
【課題を解決するための手段】
【０００６】
上記課題を解決するために、請求項１の本発明では、第１絶縁基板と、第２絶縁基板と、両基板間に設けられた液晶とを備え、前記第１絶縁基板上において、行列状に配置された複数の走査電極および複数の信号電極と、前記走査電極と前記信号電極との交点近傍に配置された複数の画素電極と、各走査電極と各信号電極と各画素電極に接続された各スイッチング素子と、前記第１絶縁基板上に配置された複数の第１共通電極と、各画素電極と各第１共通電極との間に接続された各補助コンデンサと、各第１共通電極に接続され、共通電圧が供給され、閉回路とされた第２共通電極とを備えた。
【０００７】
請求項２の本発明では、前記第１絶縁基板上に、前記第２共通電極と離れて配置され、各第１共通電極に接続され前記共通電圧が供給され、閉回路とされた第３共通電極を備えた。
【０００８】
請求項３の本発明では、前記第２共通電極と前記第３共通電極を電気的接続させた。
【０００９】
請求項４の本発明では、前記第２絶縁基板の背面に共通電極が配置され、前記第１共通電極及び／又は前記第２共通電極及び／又は前記第３共通電極が、前記共通電極に電気的接続された。
【００１０】
請求項５の本発明では、前記第２共通電極および前記第３共通電極の各幅が、１００μｍないし５００μｍである。
【発明の効果】
【００１１】
請求項１の様に、各第１共通電極に接続され、共通電圧が供給され、閉回路とされた第２共通電極を設ける事により、各第１共通電極の各部分における電圧降下が小さくなる。その結果、各第１共通電極に接続された各補助コンデンサの印加電圧が略一定となり、クロストークやフリッカの発生を防止できる。
【００１２】
請求項２の様に、請求項１の構成に加えて、第２共通電極に離れて位置し、各第１共通電極に接続され、共通電圧が供給され、閉回路とされた第３共通電極を設ける事により、各第１共通電極の各部分における電圧降下が更に小さくなる。その結果、各第１共通電極に接続された各補助コンデンサの印加電圧が略一定となり、クロストークやフリッカの発生を防止できる。
【００１３】
請求項３の様に、第２共通電極と第３共通電極を電気的接続させることにより、各第１共通電極の各部分における電圧降下は、更に小さくなる。
【００１４】
請求項４の様に、第１共通電極及び／又は第２共通電極及び／又は第３共通電極を、第２絶縁基板の共通電極に電気的接続させる事により、共通電極に対し、電圧を供給するための新規の手段を設ける必要がない。
【００１５】
請求項５の様に、第２共通電極および第３共通電極の各幅を、１００μｍないし５００μｍとすることにより、各第１共通電極の各部分における電圧降下を更に小さくできる。また、装置を大きくすることなく、コストを大きく上げる必要もない。
【発明を実施するための最良の形態】
【００１６】
以下に、本発明を実施するための最良の形態を、実施例及び図面を用いて詳細に説明する。以下の実施例は、本発明の技術思想を具体化するための液晶表示装置の一例を例示するものである。本発明は、特許請求の範囲に示した技術思想を逸脱することなく、種々の変更を行ったものにも、均しく適用し得る。
【実施例】
【００１７】
以下、図１ないし図３に従い、本実施例に係る液晶表示装置１を説明する。図１は液晶表示装置１の電気回路図である。図２は図１のＡ部詳細図であり、配線パターンの平面図である。図３は図２のＢ−Ｂ断面図であり、液晶表示装置１の部分的断面図である。
【００１８】
図３において、液晶表示装置１は、第１絶縁基板２と、第２絶縁基板３と、両基板２，３間に設けられた液晶４等を有している。第１絶縁基板２および第２絶縁基板３は例えばガラス板等からなる。
【００１９】
第２絶縁基板３の背面には順に、カラーフィルタ層５と、保護層６と、共通電極７等が形成されている。カラーフィルタ層５は例えば、Ｒ，Ｇ，Ｂの各フィルタがストライプ状に順に、繰り返し、配置されたものである。
【００２０】
図１において、第１絶縁基板２上において、行列状に、複数の走査電極８と、複数の信号電極９が形成されている。
【００２１】
信号電極９は、図１の上から順に、ｓ１，ｓ２，…ｓ５２７，ｓ５２８で示されたものである。走査電極８は、図１の右から順に、ｇ１，…ｇ１１０，ｇ２２０，…ｇ１１１で示したものである。
【００２２】
複数の画素電極１０は、各走査電極８と、各信号電極９の交点近傍に配置されている。各スイッチング素子１１は、各走査電極８と、各信号電極９と、各画素電極１０に接続されている。
【００２３】
各スイッチング素子１１は例えば、ＴＦＴ（薄膜トランジスタ）等からなる。各スイッチング素子１１のソースは各信号電極９に接続されている。各スイッチング素子１１のゲートは各走査電極８に接続されている。各スイッチング素子１１のドレインは、各画素電極１０に接続されている。
【００２４】
複数の第１共通電極Ｃ１，…Ｃ１１０，Ｃ２２０，…Ｃ１１１は、第１絶縁基板２上に配置されている。各第１共通電極Ｃ１，…Ｃ１１０，Ｃ２２０，…Ｃ１１１は、走査電極
ｇ１，…ｇ１１０，ｇ２２０，…ｇ１１１に隣接して配置されている。
【００２５】
各補助コンデンサ１２は、各画素電極１０と、各第１共通電極Ｃ１〜Ｃ２２０との間に接続されている。
【００２６】
即ち、図２に示す様に、第１絶縁基板２上に第１共通電極Ｃ２２０が形成されている。第１共通電極Ｃ２２０上に絶縁膜（図示せず）が部分的に形成されている。
【００２７】
画素電極１０は、この絶縁膜上および第１絶縁基板２上に形成されている。これらの第１共通電極Ｃ２２０と、上記絶縁膜と、画素電極１０とにより、補助コンデンサ１２が形成されている。
【００２８】
第２共通電極１３は第１絶縁基板２上に形成され、各第１共通電極Ｃ１〜Ｃ２２０に接続され、閉回路として構成されている。
【００２９】
第２共通電極１３は、入力端子１４，１５，１６を介して、共通電圧（例えば、直流５ボルト）が供給される。
【００３０】
第２共通電極１３は例えばアルミニュウム等からなる。第２共通電極１３は、第１絶縁基板２上に、例えば、厚さが２０００オングストローム、幅が１００μｍないし５００μｍにて形成されている。
【００３１】
第２共通電極１３は、幅が１００μｍ以上になると、第１共通電極Ｃ１〜Ｃ２２０における電圧降下が減ることにより、実用上、差し支えない程度に、クロストークやフリッカの発生を防止できる。
【００３２】
また、第２共通電極１３は、幅が５００μｍを越えても、幅が５００μｍの時と、上記電圧降下値は変わらない。従って、第２共通電極１３は、幅が１００μｍないし５００μｍが望ましい。
【００３３】
第３共通電極１７は第１絶縁基板２上に、第２共通電極１３と離れて配置されている。例えば、第２共通電極１３は、第１絶縁基板２の１辺近傍に配置されている。第３共通電極１７は、上記１辺に対向する位置にある第１絶縁基板２の他辺近傍に配置されている。
【００３４】
第３共通電極１７は、各第１共通電極Ｃ１〜Ｃ２２０に接続され、閉回路として構成されている。
【００３５】
第３共通電極１７は、入力端子１８を介して、共通電圧（例えば、直流５ボルト）が供給されている。
【００３６】
第３共通電極１７は、例えばアルミニュウム等からなる。第３共通電極１７は、第１絶縁基板２上に、例えば、厚さが２０００オングストローム、幅が１００μｍないし５００μｍにて形成されている。
【００３７】
第３共通電極１７の幅は、１００μｍないし５００μｍが望ましい理由は、第２共通電極１３と同じである。
【００３８】
接続部１９は、第２共通電極１３と、第３共通電極１７とを電気的接続させるものである。接続部１９は、ＩＣ２０内の絶縁基板（図示せず）上に、厚さが２０００オングストローム、幅が１００μｍないし５００μｍのアルミニュウムにて形成されている。
【００３９】
第１共通電極Ｃ１〜Ｃ２２０及び／又は第２共通電極１３及び／又は第３共通電極１７は、第２絶縁基板３の背面に設けられた共通電極７に電気的接続されている。
【００４０】
ＩＣ２０を構成する走査線駆動部４３の各出力端子ＧＤ１〜Ｇ１１０は走査電極２３，ｇ１〜ｇ１１０に接続され、各々、走査電極２３，ｇ１〜ｇ１１０を駆動する。
【００４１】
ＩＣ２０を構成する走査線駆動部４４の各出力端子ＧＤ３〜Ｇ２２０は走査電極２２，ｇ１１１〜ｇ２２０に接続され、各々、走査電極２２，ｇ１１１〜ｇ２２０を駆動する。
【００４２】
ＩＣ２０を構成する信号線駆動部４５の各出力端子Ｓ１〜Ｓ５２８は，信号電極ｓ１〜ｓ５２８に接続され、各々、信号電極ｓ１〜ｓ５２８を駆動する。
【００４３】
以下に、本発明の特徴をまとめる。第１の特徴は、第１絶縁基板２と、第２絶縁基板３と、両基板間に設けられた液晶４とを備え、第１絶縁基板上２において、行列状に配置された複数の走査電極８および複数の信号電極９と、走査電極８と信号電極９との交点近傍に配置された複数の画素電極１０が設けられている。そして、各走査電極８と各信号電極９と各画素電極１０に接続された各スイッチング素子１１と、第１絶縁基板２上に配置された複数の第１共通電極Ｃ１〜Ｃ２２０と、各画素電極１０と各第１共通電極Ｃ１〜Ｃ２２０との間に接続された各補助コンデンサ１２が設けられている。そして、各第１共通電極Ｃ１〜Ｃ２２０に接続され、共通電圧が供給され、閉回路とされた第２共通電極１３とが設けられている。
【００４４】
第２の特徴は、第１絶縁基板２上に、第２共通電極１３と離れて配置され、各第１共通電極Ｃ１〜Ｃ２２０に接続され、共通電圧が供給され、閉回路とされた第３共通電極１７が設けられている。
【００４５】
第３の特徴は、第２共通電極１３と、第３共通電極１７とを電気的接続させた構成である。
【００４６】
第４の特徴は、第２絶縁基板３の背面に共通電極７が配置され、第１共通電極Ｃ１〜Ｃ２２０及び／又は第２共通電極１３及び／又は第３共通電極１７が、共通電極７に電気的接続された構成である。
【００４７】
第５の特徴は、第２共通電極１３および第３共通電極１７の各幅が、１００μｍないし５００μｍである事である。以上で、本発明の特徴の説明を終わる。
【００４８】
共通線２１は、走査電極ｇ１１１の左側に形成されている。列電極２２は共通線２１の左側に形成されている。
【００４９】
第１共通電極Ｃ１の右側には順に、列電極２３、共通線２４，２５，２６，２７，２８が形成されている。共通線２４〜２８は、第２共通電極１３と、第３共通電極１７との間に接続されている。
【００５０】
信号電極ｓ１の上側には順に、行電極２８，２９，３０が形成されている。信号電極ｓ５２８の下側には順に、行電極３１，３２，３３が形成されている。
【００５１】
スイッチング素子１１は、各列電極２２、ｇ１１１，…ｇ１，２３と、各行電極２９，２８と、各画素電極１０とに接続されている。
【００５２】
各補助コンデンサ１２は、各画素電極１０と、各共通線２１，Ｃ１１１，…Ｃ１，２４との間に形成されている。
【００５３】
同様に、スイッチング素子１１は、各列電極２２、ｇ１１１，…ｇ１，２３と、行電極３１と、各画素電極１０とに接続されている。各補助コンデンサ１２は、各画素電極１０と、各共通線２１，Ｃ１１１，…Ｃ１，２４との間に形成されている。
【００５４】
この様に、走査電極ｇ１〜ｇ２２０と、信号電極ｓ１〜ｓ２２０と、画素電極１０に接続された各ＴＦＴを有する画素３４は、有効表示領域である。
【００５５】
また、上記画素３４を外れた、各ＴＦＴを有する画素３５は、非表示領域である。この非表示領域は、表示領域が、入力された画像データを正確に表示するために必要である。
【００５６】
第１保護ダイオード３６は、列電極２３および走査電極ｇ１〜ｇ１１０と、行電極３０との間に接続されている。第１保護ダイオード３６は、走査電極ｇ１〜ｇ１１０から行電極３０を介して、第２共通電極１３へ、静電気で生じた電流を流すものである。また、上記流れとは、逆の流れ方もある。
【００５７】
第１保護ダイオード３７は、列電極２２および走査電極ｇ１１１〜ｇ２２０と、行電極３３との間に接続されている。第１保護ダイオード３７は、走査電極ｇ１１１〜ｇ２２０から行電極３３を介して、第３共通電極１７へ、静電気で生じた電流を流すものである。また、上記流れとは、逆の流れ方もある。
【００５８】
第２保護ダイオード３８は、行電極２９，２８および信号電極ｓ１〜ｓ５２８および行電極３１，３２と、共通線２６との間に接続されている。第２保護ダイオード３８は、信号電極ｓ１〜ｓ５２８から共通線２６を介して、第２共通電極１３および第３共通電極１７へ、静電気で生じた電流を流すものである。また、上記流れとは、逆の流れ方もある。
【００５９】
第３共通電極１７と、第１共通電極Ｃ２２０との交点３９は、図１と図２と図３に示されている。
【００６０】
図２において、補助コンデンサ１２から離れて位置する第１共通電極Ｃ２２０の端は、６個の櫛歯状に形成されている。
【００６１】
また、第３共通電極１７の左端は、６個の櫛歯状に形成されている。第１共通電極Ｃ２２０の櫛歯と、第３共通電極１７の櫛歯は、電気的接続されている。
【００６２】
第３共通電極１７の櫛歯上には、絶縁層４０が設けられている。絶縁層４０には、２個の孔４１が設けられている。２個の孔４１を導通する様に、ＩＴＯ層４２が設けられている。
【図面の簡単な説明】
【００６３】
【図１】本発明の実施例に係る液晶表示装置１の電気回路図である。
【図２】図１のＡ部詳細図である。
【図３】図２のＢ−Ｂ断面図である。
【図４】従来の液晶表示装置を示す電気回路図である。
【符号の説明】
【００６４】
４  液晶
８  走査電極
９  信号電極
１０  画素電極
１１  スイッチング素子
１２  補助コンデンサ
１３  第２共通電極
Ｃ１〜Ｃ２２０  第１共通電極
【図１】
2007094024.tif 000003
【図２】
2007094024.tif 000004
【図３】
2007094024.tif 000005
【図４】
2007094024.tif 000006